(57)【要約】【課題】例えば古紙、段ボール、空き缶、空瓶、ペットボトル等のリサイクル可能資源の重量を秤量台上でそのカートごと計量するに際し、秤量台上へのカートの搬入とその位置決め作業がし易く、しかもカート搬入時の安全作業にも配慮され、更に計量時に古紙重量を誤魔化す等の不正行為をした場合の対策をも施したカートスケールを提供する。  【解決手段】古紙等のリサイクル可能資源を搭載したカートＫの重量を測定するカートスケール１００であって、ロードセル７を有するフロアスケール４と、床面から立設され、秤量台６の上面を所定の高さで覆う秤量台カバー１８と、リサイクル資源相当量のポイントを表示する操作パネル２とから成り、前記秤量台カバーには、２列の平行なカート車輪案内用溝が設けられると共に、車輪案内溝９のそれぞれに、車輪案内溝９の両内壁面に枢支され、個々の車輪案内溝９の中心方向に延びる観音扉式の開閉扉がカートの搬入方向に向かって所定間隔で複数個、配置したことを特徴とする。【選択図】図１
2012194049.tif 000002
【特許請求の範囲】
【請求項１】
古紙、段ボール等のリサイクル可能資源を搭載したカートの総重量を測定するためのカートスケールであって、
プレート状の秤量台及び該秤量台の裏面にロードセルを有するフロアスケールと、
前記フロアスケールの近傍に設けられ、前記秤量台が検知したカート総重量及び該カート内に搭載されているリサイクル資源相当量のポイント等のリサイクル関連情報を表示する操作パネルと、から成り、
前記フロアスケールの秤量台上には、該秤量台とは独立して床面から立設され、該秤量台の上面を所定の高さで覆う秤量台カバーが設けられ、
該秤量台カバーには、前記カートの車輪を乗り入れ側から進行方向に向かって案内すると共に、終端が前記カートの車輪止めになっている２列の平行な案内溝が設けられ、
該２列の案内溝のそれぞれには、車輪案内溝の両内壁面に枢支され、先端部が車輪案内溝の中心方向に互いに対向して延びる観音扉式の開閉扉が、前記カートの搬入方向に向かって所定間隔で複数個、配置されていることを特徴とするカートスケール。
【請求項２】
請求項１記載のカートスケールにおいて、
前記観音扉式の開閉扉の開閉扉の案内溝幅方向の長さと、カート進行方向の配列ピッチとは、リサイクル可能資源搬入者の足が入り込まない程度の寸法に設定されていることを特徴とするカートスケール。
【請求項３】
請求項１記載のカートスケールにおいて、
前記観音扉式の開閉扉に代えて、基端部が車輪案内溝の両側壁面に固定され、先端部が車輪案内溝の中心方向に互いに対向して延びるブラシを、前記カートの搬入方向に向かって密植させたことを特徴とするカートスケール。
【請求項４】
請求項１〜請求項３のいずれかに記載のカートスケールにおいて
前記秤量台カバー上の両側及び奥側に、秤量台カバー上に搬入されたカートを遮蔽する遮蔽部材を設けると共に、
該遮蔽部材に、秤量台カバー上にリサイクル可能資源搬入者以外の者が浸入した場合は、その侵入者を検知する不正防止センサーを設けたことを特徴とするカートスケール。
【請求項５】
請求項４に記載のカートスケールにおいて、
前記遮蔽部材は、カバー若しくは床面から立設した手摺、又は前記カートが外部から視認可能な透明遮蔽板であることを特徴とするカートスケール。
【請求項６】
請求項１〜請求項５のいずれかに記載のカートスケールにおいて、
前記操作パネルには、前記カート重量及びリサイクル資源相当量のポイント以外に、リサイクル資源相当量のＣＯ２削減量等のリサイクル関連情報が表示されることを特徴とするカートスケール。
【発明の詳細な説明】
【技術分野】
【０００１】
本発明は、例えば古紙、段ボール、空き缶、空き瓶、ペットボトル等のリサイクル可能資源の重量を、秤量台上でそのカートごと容易に計量し得るカートスケールに関し、特に、リサイクル可能資源の搬入者がリサイクル可能資源を積載したカートを秤量台上に搬入する際の安全作業に配慮する共に、計量作業のし易さと、第三者が計量時にリサイクル可能資源重量を誤魔化す等の不正行為をした場合の対策を施したカートスケールに関する。
【背景技術】
【０００２】
近年、地球温暖化防止の観点から、あらゆる分野においてＣＯ２排出量の削減が急務になっている。
【０００３】
そのため、例えば古紙、段ボール、空き缶、空き瓶等のリサイクル可能資源については、多数の買い物客が集まるスーパーマーケットやショッピングセンター等が好適なリサイクル可能資源の集積場所となり、古紙回収業者にとってはこれらの集積場所が効率的な回収ポイントとなる。
【０００４】
この場合、買い物客は、買い物のついでに各自の家庭で発生したリサイクル可能資源をショッピングセンター等の回収ポイントに自家用車で持ち込み、そこに常備されているカートで買い物の前に、まずリサイクル可能資源の供出を済ますことが行なわれている。
【０００５】
したがって、ショッピングセンター等のリサイクル可能資源の回収ポイントには、このような買い物客が運び込んだリサイクル可能資源の重量をカートごと測定するため、例えば特許文献１に示されている図５のカートスケール２００が使用されていた。
【０００６】
この従来のカートスケール２００は、リサイクル可能資源の上記回収ポイント位置まで移動可能な車輪付き秤量台１０１と、その近傍に信号線１０２でつながった操作パネル１０３とから構成されているものである。
【０００７】
秤量台１０１の内部には、図示しないロードセルが設けられており、このロードセルにより、秤量台１０１上に搬入された図示しないカートをカートに搭載されているリサイクル可能資源ごと測定し、その総重量又は風袋のカート重量を差し引いたリサイクル可能資源のみの重量が操作パネル１０３上に表示されるようになっている。
【０００８】
しかしながら、スーパーマーケット等に常設されているカートは、通常、車輪軸を支える金具が四輪とも旋回できるものが多用されているため、前進しても先頭が左右の何れかの方向に動いてしまい、秤量台１０１上へのカートの搬入作業と、秤量台１０１上での位置決め作業がしずらい、という問題があった。
【０００９】
また、従来のカートスケール２００は、カートと共に搬入者が誤って秤量台１０１上に載った場合や、或は搬入者又は第三者がリサイクル資源の搭載量を増やさんとして悪意で秤量台１０１上に乗った場合には、搬入者の体重もリサイクル可能資源重量に合算して表示されてしまうという不都合があった。
【先行技術文献】
【特許文献】
【００１０】
【特許文献１】特開２００１−１８８０２２号公報（段落００１１、図１）
【特許文献２】実用新案登録第３１６０７３６号公報
【発明の概要】
【発明が解決しようとする課題】
【００１１】
そこで、本出願人は、上記秤量台１０１上へのカートの搬入作業と、秤量台１０１上での位置決め作業がしずらい、という問題に対処するために、本出願人の出願である特許文献２において、図６の斜視図に示すカートスケール３００を提案した。  
【００１２】
このカートスケール３００は、図示しないロードセルを内蔵した前記秤量台１０１上に、カート搬入時の案内溝となる２列の車輪案内溝１０４ａ、１０４ａが切り込まれたフロアスケールカバー１０４を床面から立設すると共に、カートの前輪幅と後輪幅とが異なることに対処するために２列の車輪案内溝１０４ａ、１０４ａのそれぞれの中央に車輪案内パイプ１０５を設けることにより、２本の内側車輪案内溝１０４ｂと、２本の外側車輪案内溝１０４cとから成る合計４列の案内溝１０４ｂ、１０４ｂ、１０４c、１０４cを形成した。
【００１３】
そして、カートの秤量台１０１上への搬入に際しては、まず２列の内側車輪案内溝１０４ｂ、１０４ｂにカートＫの２個の前輪１０ａ、１０ａ（図４参照）を同時に押し入れ、次に２列の外側車輪案内溝１０４c、１０４ｃに２個の後輪１０ｂ、１０ｂ（図４参照）を同時に押し込むことで、これら４列の案内溝１０４ｂ、１０４ｂ、１０４c、１０４cをカート搬入時の車輪案内ガイドとした。
【００１４】
しかしながら、上記車輪案内溝１０４ａ、１０４ａが２本の車輪案内パイプ１０５で４列にも仕切られた狭い隙間に、自分が押してきたカートの前輪と後輪とを順次挿入することは、通常、カートの前方はカート上に積載されたリサイクル資源によって視野が塞がれているので、特に前輪部分を視認できず、内側車輪案内溝１０４ｂ、１０４ｂに対する前輪の位置合わせが困難であった。
【００１５】
また、内側車輪案内溝１０４ｂ、１０４ｂと、外側車輪案内溝１０４c、１０４ｃとは、寸法上は搬入者や同伴する子供の足が入らない程度の狭い隙間に設定されてはいるが、当該溝はカートの挿入方向に細長い溝であるため、搬入者のつま先が入り易いという欠点があった。
【００１６】
本発明は、上記従来技術の不都合を解消せんとするもので、例えば古紙、段ボール、空き缶、空瓶、ペットボトル等のリサイクル可能資源の重量を秤量台上でそのカートごと計量するに際し、秤量台上へのカートの搬入とその位置決め作業がし易く、しかもカート搬入時の安全作業にも配慮され、更に計量時に古紙重量を誤魔化す等の不正行為をした場合の対策をも施したカートスケールを提供することを目的とする。
【課題を解決するための手段】
【００１７】
上記課題を達成するため、本発明に係るカートスケールは、古紙、段ボール等のリサイクル可能資源を搭載したカートの総重量を測定するためのカートスケールであって、
プレート状の秤量台及び該秤量台の裏面にロードセルを有するフロアスケールと、
前記フロアスケールの近傍に設けられ、前記秤量台が検知したカート総重量及び該カート内に搭載されているリサイクル資源相当量のポイント等のリサイクル関連情報を表示する操作パネルと、から成り、
前記フロアスケールの秤量台上には、該秤量台とは独立して床面から立設され、該秤量台の上面を所定の高さで覆う秤量台カバーが設けられ、
該秤量台カバーには、前記カートの車輪を乗り入れ側から進行方向に向かって案内すると共に、終端が前記カートの車輪止めになっている２列の平行な車輪案内溝が設けられ、
該２列の車輪案内溝のそれぞれには、車輪案内溝の両内観音扉式の開閉扉の幅と、壁面に枢支され、先端部が車輪案内溝の中心方向に互いに対向して延びる観音扉式の開閉扉が、前記カートの搬入方向に向かって所定間隔で複数個、配置されていることを特徴とする。
【００１８】
この場合、観音扉式の開閉扉のカート進行方向の配列ピッチ（Ｐ、図１参照）と、車輪案内溝の幅方向の長さ（Ｗ、図１参照）とは、リサイクル可能資源搬入者の足が入り込まない程度の間隔に設定するのが好ましい。
【００１９】
また、前記カートスケールにおいて、前記観音扉式の開閉扉に代えて、基端部が車輪案内溝の両側壁面に固定され、先端部が車輪案内溝の中心方向に互いに対向して延びるブラシを、前記カートの搬入方向に向かって密植させても良い。この場合のブラシ材質は、金属製又は合成樹脂製のものが好ましい。
【００２０】
一方、計量時に古紙重量を誤魔化す等の不正行為をした場合の対策としては、秤量台カバー上の両側及び奥側に、秤量台カバー上に搬入されたカートを遮蔽する遮蔽部材を設けると共に、該遮蔽部材に、秤量台カバー上にリサイクル可能資源搬入者以外の者が浸入した場合は、その侵入者を検知する不正防止センサーを設けるのが好ましい。
【００２１】
この場合、前記遮蔽部材は、手摺又は前記カートが外部から視認可能な透明遮蔽板を採用するのが好ましい。
【００２２】
前記操作パネルには、前記カート重量及びリサイクル資源相当量のポイント以外に、リサイクル資源相当量のＣＯ２削減量等のリサイクル関連情報が表示されるようにするのが好ましい。
【発明の効果】
【００２３】
請求項１に係る発明のカートスケールによれば、フロアスケールの秤量台上に、秤量台の上面を所定の高さで覆う秤量台カバーが設けられており、このカバーにはカートの車輪を乗り入れ側から搬入方向に向かって案内すると共に、終端が前記カートの車輪止めになっている２列の平行な車輪案内溝が設けられており、しかも２列の車輪案内溝のそれぞれには、車輪案内溝の両内壁面に枢支され、先端部が車輪案内溝の中心方向に互いに対向して延びる観音扉式の開閉扉が、前記カートの搬入方向に向かって所定間隔で複数個配置されている。
【００２４】
したがって、リサイクル可能資源の搬入者は、 秤量台へのリサイクル可能資源の搬入に際して、カートの車輪を上記車輪案内溝内に押し込むだけでよく、後はカートを押し込むにしたがって、観音式扉が押し込まれる車輪に追従して回動し、車輪の通過後は次々に元の位置に復帰して搬入者の足が入りこむのを防止するため、カートの搬入作業が容易である。
【００２５】
請求項２に係る発明のカートスケールによれば、観音扉式の開閉扉のカート進行方向の配列ピッチと車輪案内溝幅方向の長さは、搬入者の足が入り込まない程度の寸法に設定されているので、搬入作業中に誤って車輪案内溝内に踏み込むこともない。
【００２６】
請求項３に係る発明のカートスケールによれば、観音扉式の開閉扉に代えて、基端部が車輪案内溝の両側壁面に固定され、先端部が車輪案内溝の中心方向に互いに対向して延びるブラシをカートの搬入方向に向かって密植させたので、上記請求項２に係る発明のカートスケールの効果に準じた効果を得ることができる。  
【００２７】
請求項４に係る発明のカートスケールによれば、前記秤量台カバー上の両側及び奥側に、秤量台カバー上に搬入されたカートを遮蔽する遮蔽部材を設けると共に、この遮蔽部材に、秤量台カバー上にリサイクル可能資源搬入者以外の者が浸入した場合にその侵入者を検知する不正防止センサーを設けたので、計量時に古紙重量を誤魔化す等の不正行為を有効に防止することができる。
【００２８】
請求項５に係る発明のカートスケールによれば、前記遮蔽部材は、手摺又はカートが外部から視認可能な透明遮蔽板で構成されているので、手摺の場合は簡易な設備で、透明遮蔽板の場合は、カート内部のリサイクル可能資源の荷崩れが生じていないことを確認しつつ、有効に不正行為を防止することができる。
【００２９】
請求項６に係る発明のカートスケールによれば、前記操作パネルには、カート重量及びリサイクル資源相当量のポイント以外に、リサイクル資源相当量のＣＯ２削減量等のリサイクル関連情報が表示されるので、リサイクル可能資源搬入者は自己が蓄積したポイント情報をその都度、確認することができる。  
【発明を実施するための形態】
【実施形態１】
【００３０】
以下、本発明の実施形態を図面に基づいて説明する。
【００３１】
図１は、本発明に係るカートスケール１００の斜視図である。図に示すように、本発明のカートスケール１００は、カートスケール本体１と、このカートスケール本体１の近傍に配置された操作パネル２とから構成されている。
【００３２】
この操作パネル２内には、リサイクル可能資源の各種情報、すなわちリサイクル可能資源の搬入者名、計量年月日、リサイクル可能資源の総重量又は風袋であるカート重量を差し引いたリサイクル可能資源のみの重量等が、例えば図示省略のスーパーマーケットや各種ショッピングセンター等の集積ポイントに置かれたサーバー３と送受信できるようになっている。
【００３３】
カートスケール本体１の内部には、図２の斜視図で示すフロアスケール４が内蔵されており、フロアスケール４のスロープ５部分が図１に示すように左下方に食み出した状態で床面に固定されている。すなわち、フロアスケール４の秤量台６部分の上にフロアスケールカバー１８を被せたものである。なお、図１に示すように、フロアスケールカバー１８の脚１８ａは、フロアスケール４とは独立して床面から立設されており、フロアスケールカバー１８の重量がフロアスケール４の秤量台６上にかからないようになっている。
【００３４】
図２に示すように、フロアスケール４は、市販されている既製品のもので、カートＫ（図４参照）の車輪乗り入れ部分であるスロープ５と、スロープ５の頂上面が地上（又は床面）Ｇからの高さＨに設定された秤量台６と、秤量台６の裏面に設けられているロードセル７とから成るものである。秤量台６は、スーパーマーケット等に買い物にきた客がスーパーマーケットに常設のカートＫに古紙等のリサイクル資源を積み替えて乗り入れても十分な広さの平面寸法と、その総重量に撓まないだけの強度を有しており、その床面からの高さＨは３０〜４０ｍｍ程度の薄いものである。
【００３５】
なお、本実施形態のカートスケール１００では、リサイクル可能資源としては、新聞、雑誌、段ボール等の古紙の他、リサイクル可能資であれば、その他例えばスチール缶、空瓶、ペットボトル、廃プラスチック、発泡スチロール等のような金属、ガラス又はケミカル素材であっても良いことは勿論である。
【００３６】
そして、図２の秤量台６上に乗り入れ、計量した古紙等の重量データは、ロードセル７と前述の操作パネル２とを結ぶ信号線８により、操作パネル２に出力され、前述の計量者と同様、その計量データが集積ポイントのサーバー３と送受信できるようになっている。
図１に戻り、フロアスケールカバー１８は、外形が略四角形状の鋼板製のもので、内蔵されている前述した秤量台６の全体を囲うように、地上（又は床面）Ｇから独立して固定されており、カート搬入者がその上に載っても変形しない程度の強度を有する。
【００３７】
また、フロアスケールカバー１８の表面には、中心間距離がＴで、それぞれの開口幅がＷで、かつ、全長（奥行き）がＬからなるカートＫの車輪案内溝９（またはキャスター案内溝）がカートの搬入方向に沿って２列平行に開口している。車輪案内溝９中心間距離Ｔは、カートＫの前輪幅と後輪幅とが同一寸法である場合は、その寸法に一致し、異なる場合はその平均幅に設定する。また、車輪案内溝９の開口幅がＷは、カートＫの前輪と後輪とが同時に通過し得る最小限の幅である。
【００３８】
また、それぞれの車輪案内溝９のスロープ５側は、カートＫのカート車輪１０（図４参照）の案内溝９への進入及び離脱が容易なように入口側が開口しており、車輪案内溝９の終端部は、秤量台６上に侵入したカートＫの車輪止めになっている。なお、図３に示すように、上記入口の両側部分には、車輪案内溝９への搬入を容易にするために、テーパー状又は曲面状のガイド部材１７を固定してもよい。
【００３９】
さらに、それぞれの車輪案内溝９には、回転軸１３が車輪案内溝９の両内壁面に枢着され、そしてこの回転軸１３に枢支される共に、それぞれの車輪案内溝９の中心方向に向かって互いに対向するように延びる観音扉式の右側開閉扉１４と左側開閉扉１５とが、カートＫの進行方向に向かって等ピッチＰで複数配置されている。すなわち、この右側開閉扉１４及び左側開閉扉１５は、カートＫの車輪１０の通過に伴うこれら開閉扉１４、１５との接触により、回転軸１３を中心にほぼ１８０度回動することができ、カート車輪１０の通過後は回転軸１３に内臓されている図示しないバネの弾発力により、元の位置に復帰できるようになっている。
【００４０】
ここで重要なことは、観音扉式の右側開閉扉１４及び左側開閉扉１５の車輪案内溝９幅方向の長さ（扉幅）の２倍分と、カート進行方向の配列ピッチＰとが、カートＫの搬入者及び同伴した子供の足幅よりも狭く設定されていることであり、仮にこれらの者が誤って開閉扉上に足を載せても足を踏み入れることができないようになっている点である。
【００４１】
また、本発明のカートスケール１００の車輪案内溝９は、前述の図６で説明した従来のカートスケール３００の車輪案内溝１０４ｂ、１０４ｃと異なり、車輪案内溝９の全体が観音扉式の右側開閉扉１４と、左側開閉扉１５とで塞がれているので、これを見たリサイクル資源搬入者は敢えて足を踏み入れようとはしない効果をも有する。
【００４２】
この車輪案内溝９は、他の実施形態のものにすることもできる。例えば、図３（ｃ）及び図３（ｄ）に示す車輪案内溝９Ａは、図３（ａ）及び図３（ｂ）の観音扉式開閉扉１４、１５の代わりに、例えば金属製又は合成樹脂製のブラシ１６を車輪案内溝９の両内壁面に基端部を固定し、先端部を車輪案内溝９の中心方向に互いに対向するように密接させて植毛したものである。
【００４３】
また、図３（ｅ）及び図３（ｆ）に示す車輪案内溝９Ｂは、前述した、図３（ａ）及び図３（ｂ）の観音扉式開閉扉１４、１５の中央に、金属パイプ１９をカートＫの搬入方向に配置して固定したものである。
【００４４】
すなわち、この金属パイプ１９は、車輪案内溝９Ｂの入り口側が略Ｌ字状に折り曲げられ、その基端部が床面に固定され、その水平部分は、その上面が開閉扉１４、１５の上端部に一致する高さに設定され、終端部においてＴ字継ぎ手で直交されたパイプを車輪止め２０としてフロアスケールカバー１８の裏面に固定したものである。
【００４５】
一方、図１に示すように、フロアスケールカバー１８上の両側には、フロアスケールカバー１８上に乗ったカート搬入者が落ちないように、パイプを曲げて作られた側面手摺１１ａ、１１ｂが、また、奥の正面には、正面手摺１１ｃが設けられており、正面手摺１１ｃには本発明のカートスケール１００の操作方法や注意書きが記載された表示板１３が掛けられている。
【００４６】
この側面手摺１１ａ、１１ｂと、正面手摺１１ｃとは、秤量台カバー１８上に搬入されたカートＫに対する第三者からの不正行為を防止するための遮蔽部材となっており、さらに、側面手摺１１ａ、１１ｂには、秤量台６上に搬入されたカートＫが外部から視認可能なように、例えば透明樹脂板等の遮蔽板１２で囲われている。他の遮蔽部材の例としては、図示は省略したが、上記側面手摺１１ａ、１１ｂを案内レールとするスライド可能なシャッターを設けると共に、入り口側又は奥側にシャッター端部が到着したことを検知するセンサーを設け、当該センサーによる検知時点で始めて計量が可能なようにインターロックを掛けてもよい。
【００４７】
また、側面手摺１１ａ、１１ｂには、カート搬入者でない第三者が入口側から秤量台カバー１８内に浸入した場合にその第三者の侵入や、秤量カバー上での不正行為を検知するための不正防止検知用センサーが設けられている。この不正防止検知用センサーは、右側の側面手摺１１ａの上端部付近に設けられた発信器２１と、左側の側面手摺１１ｂの上端部付近に設けられた受信器２２とから成り、侵入者を検知した受信器２１の検知信号を操作パネル２に送信し、警報音を周囲に発すると共に、サーバー３に送信し、侵入の事実をサーバー管理者に連絡できるようになっている。
【００４８】
発信器２１と受信器２２の好ましい例としては、特に限定するものではなく、人体検知用赤外線センサーや、投光器と受光器とからなる光電管式の非接触式センサー等を使用できる。
【００４９】
次に、操作パネル２は、カートスケール本体１に測定した重量のゼロ払いの指示や、測定重量の瞬時値、積算値の切り替え指示等を行ない、それらの重量測定情報が集積ポイントのサーバー管理者に送信できるようになっている。
【００５０】
この操作パネル２は、カートスケール１００の近傍に置く自立式のもので、指認証（静脈紋検知）や、管理者と契約したカート搬入者に配布されているＩＤカード又は磁気カードシステム等により、カート搬入者が誰であるかを認識することが可能である。そのために操作面には、カート搬入者のＩＤカード又は磁気カード等の専用カード差込口２４や、指認証システムの検知センサー部、スイッチ類２３等が設けられている。
【００５１】
そして、表示パネル２５には、ロードセル７からのカートスケール１００の重量測定データが瞬時に表示されるとともに、古紙重量からカートＫの重量（風袋）を差し引いた正味の古紙重量と、当該リサイクル可能資源相当量のエコポイントと、その積算値が、専用カード差込口２４に差し込んだ図示しない専用カードに印字されるようになっている。
【００５２】
なお、上記専用カードは、ポイントが溜まるとそのポイント量に応じて、スーパーマーケットの販売商品と交換できるようにしてもよいし、表示パネル２５及びカート搬入者の専用カードには、カート搬入者がカートスケール１００に持ち込んだリサイクル資源と等価のＣＯ２削減量等のリサイクル関連信号が表示されるようにしても良い。
【００５３】
次に、図４に基づいて、本発明のカートスケール１００の使用方法を説明する。
【００５４】
この例は、カートＫの前輪幅１０ａと後輪幅１０ｂとが異なる場合の例である。
【００５５】
図４は、図１において、カート搬入者が古紙等のリサイクル可能資源を積み込んだカートＫを本発明のカートスケール１００に持ち込み、図の車輪案内溝９に沿って、秤量台６上に乗り入れた場合におけるＡ−Ａ矢視の部分断面図である。
【００５６】
まず、カート搬入者は、管理者（古紙回収業者）から与えられた専用カードを図１で説明した操作パネル２のカード差込口２４に差し入れる。操作パネル２は、差し入れられたカード情報から資源回収ポイントの利用者が誰であるかを直ちに認識する。
【００５７】
カート搬入者は、リサイクル資源が搭載されているカートＫを図１で説明したスロープ５からフロアスケール４の秤量台６上に押し入れる。その際、カート搬入者は、図３に示すように、まず前輪１０ａを案内溝９に沿って入り口から押し込む。この際、前輪１０ａは、右側開閉扉１４を進行方向に押し込むが、右側開閉扉１４は、支軸構造が観音扉式になっているので、回転軸１３を中心に奥方向に回動し、前輪１０ａ通過後は元の位置に復帰する。このようにして順次、カートが奥方向に進行すると、今度はカートＫの後輪１０ｂが左側開閉扉１５に接触して進行方向に押し込むが、前述と同様の左側開閉扉１５の支軸構造により、回転軸１３を中心に奥方向に回動し、後輪１０ｂ通過後は元の位置に復帰する。
【００５８】
そして、カートの前輪１０ａが終端の車止めに接触した時点でカート搬入者はカートＫの搬入を修了する。この停止位置が秤量台６上の適正な計量位置である。
したがって、カート搬入者は、従来のように案内パイプ１９Ａ（図６）の存在を気にせずにカートＫを搬入用案内溝９に沿って押し込めばよいので、その分、カートＫの秤量台６上への搬入作業が容易になる。また、前述した理由により、搬入者がカート車輪案内溝９内に足を踏み入れる危険もない。したがって、本発明のカートスケール１００は、測定したリサイクル可能資源重量にカート搬入者の体重が合算されることもない。
【００５９】
このとき、カートスケール１００のロードセル７は、瞬時に秤量台６上の全搭載重量を操作パネル２に送信する。操作パネル２では、予め入力されているカートＫ重量を受信重量データから風袋重量として差し引き、リサイクル可能資源のみの重量、積算値等を操作パネル２に表示すると共に、これらデータをカード差込口２４に差し入れられている専用カードに印字する。
【００６０】
測定が終わったら今度は、カートＫの車輪案内溝９に沿って秤量台６から引き出す。
【００６１】
カート搬入者は、リサイクル可能資源を搬入する度に自分の専用カードのポイントが溜まるので、買い物のついでにスーパーマーケットの販売商品と交換することができ、更なる資源回収の意欲を持つことができる。すなわち、本発明のカートスケール１００は、一般買い物客によるスーパーマーケット等のリサイクルポイントへのリサイクル可能資源の搬入を促進させることができるのである。
【００６２】
また、本実施形態のカートスケール１００は、一般買い物客と企業間のカーボンオフセットにも効果的に利用することができ、ひいてはＣＯ２排出量の抑制、地球規模の環境負荷改善等に役立てることができるのである。
【００６３】
以上に説明した本発明に係るカートスケールは、前述した実施形態のものに限定されないことは勿論であり、特許請求の範囲に記載された範囲で種々の変形、組み合わせが可能であり、これらの変形、組み合わせ例も本発明の範囲に含まれることは勿論である。
【図面の簡単な説明】
【００６４】
【図１】本発明に係るカートスケールの斜視図である。
【図２】図１のカートスケール１００の底部に内蔵されているフロアスケール４の全体斜視図である。
【図３】図１のカートスケール１００に設けられている案内溝９の各種実施例の図面であり、図３（ａ）は、案内溝９内に観音扉式の開閉扉１４、１５が設けられた例の平面図、図３（ｂ）は、その正面図、図３（ｃ）は、案内溝内にブラシ１６が設けられた例の平面図、図３（ｄ）は、その正面図、図３（ｅ）は、上記図３（ａ）及び図３（ｂ）の観音扉式の開閉扉１４、１５の中に更に案内パイプ１９が設けられた例の平面図、図３（ｆ）は、その正面図である。
【図４】図１のカートスケール１００にカートＫを搬入した場合の案内溝９周辺のＡ−Ａ部分断面図である。
【図５】従来のカートスケール２００の全体斜視図である。
【図６】他例の従来のカートスケール３００の全体斜視図である。
【符号の説明】
【００６５】
１   カートスケール本体
２   操作パネル
３   サーバー
４   フロアスケール
５   スロープ
６   秤量台
７   ロードセル
８   信号線
９   車輪案内溝
１０   カート車輪
１０ａ   前輪
１０ｂ   後輪
１１ａ、ｂ   側面手摺（遮蔽部材）
１１ｃ       正面手摺（遮蔽部材）
１２   遮蔽板（遮蔽部材）
１３   回転軸
１４   右側開閉扉（観音式開閉扉）
１５   左側開閉扉（観音式開閉扉）
１６   ブラシ
１７   ガイド部材
１８   フロアスケールカバー    
１９   車輪案内パイプ
２０   車輪止め
２１   発信器（不正防止センサー）
２２   受信器（不正防止センサー）
１００   カートスケール（本発明）
Ｋ   カート
【図１】
2012194049.tif 000003
【図２】
2012194049.tif 000004
【図３】
2012194049.tif 000005
【図４】
2012194049.tif 000006
【図５】
2012194049.tif 000007
【図６】
2012194049.tif 000008